【手続補正書】
【提出日】平成18年5月15日(2006.5.15)
【手続補正１】
【補正対象書類名】明細書
【補正対象項目名】特許請求の範囲
【補正方法】変更
【補正の内容】
【特許請求の範囲】
【請求項１】  外筒と、スピンドルを具備し、前記スピンドルは前記外筒の中から外部に突出して高さ調節が出来る様に構成される回転椅子用の高さ調節体に於いて、
前記スピンドルの軸方向に形成される少なくとも１個以上の溝と、
前記スピンドルが回転方向と軸方向に駆動出来る様にし、一端部が傾斜面を成して前記外筒の内周面に締結される第１カム部材と、
内周側に凸起が形成され、前記凸起が前記溝に挟まれて前記スピンドルに対して軸方向に上下降駆動出来ると共に前記スピンドルの回転方向にスピンドルと一緒に回転し、前記第１カム部材の傾斜面と対応する傾斜面を持つ第２カム部材と、
前記外筒の中から前記第２カム部材を押し付けて前記第１カム部材の傾斜面と前記第２カム部材の傾斜面を当接させる弾性部材を含むことを特徴とする復帰形回転椅子用の高さ調節体。
【請求項２】  前記第１カム部材は内部の直径がお互いに違う第１円筒部と第２円筒部からなり、前記第２カム部材が前記第２円筒部の中に嵌められるように構成されることを特徴とする請求項１記載の復帰形回転椅子用の高さ調節体。
【請求項３】  前記スピンドルを取り囲んで固定し、その外周面に前記溝が形成されるスリーブ部材がより含まれ、
前記弾性部材は一側が前記第２カム部材に接触され、他側が前記外筒によって長手方向の移動が限定され、前記スリーブ部材の回転力が除去されれば復帰弾性力により前記第２カム部材を押し付けて前記第１カム部材と前記第２カム部材の傾斜面を当接させて前記スリーブ部材を元の位置に回転させることを特徴とする請求項２記載の復帰形回転椅子用の高さ調節体。
【請求項４】  前記外筒の所定の位置には内周面上の円周方向に爪が形成され、前記爪と前記弾性部材の間にはワッシャーが介されて弾性部材の移動方向が制限される様になっていることを特徴とする請求項２記載の復帰形回転椅子用の高さ調節体。
【請求項５】  前記弾性部材と前記第２カム部材の間にはスラストベアリングが介されていることを特徴とする請求項２記載の復帰形回転椅子用の高さ調節体。
【請求項６】  前記スリーブ部材はアルミニウム合金、金属、非金属、樹脂の内の一つから成ることを特徴とする請求項２記載の復帰形回転椅子用の高さ調節体。
【請求項７】  前記ワッシャーはその外周面の垂直方向で前記弾性部材のガイド部が構成されることを特徴とする請求項４記載の復帰形回転椅子用の高さ調節体。
【請求項８】  前記第１カム部材と第２カム部材は前記対向する傾斜面を境界にして上下に分離され、前記第２カム部材はその外周面が前記外筒と当接して回転方向と軸方向に移動出来る様に構成されることを特徴とする請求項１記載の復帰形回転椅子用の高さ調節体。
【請求項９】  前記弾性部材と前記第２カム部材の間にはリングが介されていることを特徴とする請求項８記載の復帰形回転椅子用の高さ調節体。
【請求項１０】  前記弾性部材の下端部は外筒と嵌合されるスペーサによって支持されることを特徴とする請求項８記載の復帰形回転椅子用の高さ調節体。
【請求項１１】  前記リングの外周の領域には前記スピンドルの軸方向に少なくとも１個以上の貫通ホールが形成されることを特徴とする請求項９記載の復帰形回転椅子用の高さ調節体。
【請求項１２】  前記リングと前記第２カム部材の間にはスラストベアリングを設置して前記第２カム部材が回転する時に前記弾性部材が共に回転されない様に構成されることを特徴とする請求項９記載の復帰形回転椅子用の高さ調節体。
【請求項１３】  前記スペーサは円筒形の形状で構成されることを特徴とする請求項１０記載の復帰形回転椅子用の高さ調節体。
【請求項１４】  前記スペーサはアルミニウム合金、金属、非金属、樹脂の内の一つから成ることを特徴とする請求項１３記載の復帰形回転椅子用の高さ調節体。
【請求項１５】  前記弾性部材はスプリングから成ることを特徴とする請求項２又は請求項８記載の復帰形回転椅子用の高さ調節体。
【請求項１６】  外筒と、スピンドルを具備し、前記スピンドルは前記外筒の中から外部に突出して高さ調節が出来る様に構成される回転椅子用の高さ調節体に於いて、
前記スピンドルが回転方向と軸方向に駆動出来る様にし、一端部が傾斜面を形成して前記外筒の内周面に締結される上部カムと、
前記スピンドルの軸方向への移動は前記スピンドルと別途に出来るが、前記スピンドルの回転方向への回転は前記スピンドルと一緒にする時だけ回転出来るし、前記上部カムの傾斜面と対応する傾斜面を持つ下部カムと、
前記外筒の中から前記下部カムを押し付けて前記上部カムの傾斜面と前記下部カムの傾斜面を当接させる弾性部材を含むことを特徴とする復帰形回転椅子用の高さ調節体。
【手続補正２】
【補正対象書類名】明細書
【補正対象項目名】０００６
【補正方法】変更
【補正の内容】
【０００６】
【課題を解決する為の手段】
前記目的の達成の為に本発明は、外筒と、スピンドルを具備し、前記スピンドルは前記外筒の中から外部に突出して高さ調節が出来る様に構成される回転椅子用の高さ調節体に於いて、前記スピンドルの軸方向に形成される少なくとも１個以上の溝と、前記スピンドルが回転方向と軸方向に駆動出来る様にし、一端部が傾斜面を成して前記外筒の内周面に締結される第１カム部材と、内周側に凸起が形成され、前記凸起が前記溝に挟まれて前記スピンドルに対して軸方向に上下降駆動出来ると共に前記スピンドルの回転方向にスピンドルと一緒に回転し、前記第１カム部材の傾斜面と対応する傾斜面を持つ第２カム部材と、前記外筒の中から前記第２カム部材を押し付けて前記第１カム部材の傾斜面と前記第２カム部材の傾斜面を当接させる弾性部材を含む。
【手続補正３】
【補正対象書類名】明細書
【補正対象項目名】０００７
【補正方法】変更
【補正の内容】
【０００７】
前記第１カム部材は内部の直径が違う第１円筒部と第２円筒部からなり、前記第２カム部材が前記第２円筒部の中に嵌められるように構成する。
又、前記スピンドルを取り囲んで固定し、その外周面に前記溝が形成されるスリーブ部材がより含まれ、前記弾性部材は一側が前記第２カム部材に結合され、他側が前記外筒によって長手方向の移動が限定され、前記スリーブ部材の回転力が除去されれば復帰弾性力により元の位置に戻って行く時に前記第２カム部材を押し付けて前記第１カム部材と前記第２カム部材の傾斜面を当接させて前記スリーブ部材を元の位置に回転させる。
【手続補正４】
【補正対象書類名】明細書
【補正対象項目名】０００８
【補正方法】変更
【補正の内容】
【０００８】
又、前記外筒の所定の位置には内周面上の円周方向に爪が形成され、前記爪と前記弾性部材の間にはワッシャーが介されて弾性部材の移動方向が制限される様になっている。
又、前記弾性部材と前記第２カム部材の間には１個以上の貫通ホールが形成されたリングとスラストベアリングを設置し、弾性部材の下端部は外筒と嵌合されるスペーサを設置する。
前記スペーサとスリーブ部材とリングとワッシャーは、アルミニウム合金、金属、非金属、樹脂等で構成できる。
【手続補正５】
【補正対象書類名】明細書
【補正対象項目名】００１５
【補正方法】変更
【補正の内容】
【００１５】
前記溝が形成されたスリーブ部材(520)は回転方向と軸方向と共に駆動出来る様に構成され、外筒(550)の上部に固定される。上部カム(530)とスリーブ部材(520)及びスピンドル(510)が結合される構造は図１１のC-C'線に沿った断面図、即ち、図１３の様に外筒(550)の内周面に上部カム(530)の外周面が堅く固定され、上部カム(530)の円筒形の内周面にスピンドル(510)を取り囲む。又、溝(522)が形成されているスリーブ部材(520)が回転方向と軸方向で回転出来る様に挿通される。
下部カム(540)の内周面には長手方向に沿ってスリーブ部材(520)の溝(522)に対応する凸起(542)が形成されスリーブ部材(520)の溝(522)に結合される。
下部カム(540)とスリーブ部材(520)及びスピンドル(510)が結合される構造は図１１のD-D'線に沿った断面図、即ち、図１４の様に外筒(550)の内周面に沿って下部カム(540)の外周面が自由自在に滑る様に挿通され、下部カム(540)の円筒形の内周面に形成される凸起(542)がスリーブ部材(520)の溝(522)に挟まれてスリーブ部材(520)の回転方向に沿って下部カム(540)が共に回転される。
勿論、前記スリーブ部材(520)は下部カム(540)に対して上下降駆動する。即ち、下部カム(540)の凸起(542)によって前記下部カム(540)は前記スリーブ部材(520)に対して軸方向に限って上下降駆動されると共に前記スリーブ部材(520)の回転方向に沿って前記下部カム(540)が同時に回転されるように前記外筒(550)の中に設置される。